【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
超音波システム（１４）を使い弾性イメージングを実行する方法であって、
超音波画像に対し、関心領域（２０）を設定し、
生物学的な組織を周期的に圧縮し、
イメージングに関連したフレームレートで複数のＲＦフレームデータ（２４）の少なくとも１つを取得し、
圧縮フィードバックアルゴリズム（１２）を使い、前記複数のＲＦフレームデータ（２４）の前記少なくとも１つを分析し、
少なくとも１つの変位における前記複数のＲＦフレームデータ（２４）の前記少なくとも１つの量的な示度と、前記少なくとも１つの変位における閾値と、の比較を表示し、
前記比較に基づき、許容できる圧縮値を決定し、
前記圧縮が十分であることを決定し、
前記イメージングに関連したフレームレートで前記生物学的組織の弾性画像を表示する、ことを含む方法。
【請求項２】
請求項１に記載の方法であって、
前記関心領域（２０）の設定が、フリーハンド圧縮固定具（２２）を前記生物学的組織に作用させることを含む方法。
【請求項３】
請求項２に記載の方法であって、
前記フリーハンド圧縮固定具を作用させることが、超音波トランスデューサプローブを作用させることを含む方法。
【請求項４】
請求項１に記載の方法であって、
前記関心領域（２０）の設定が、モータ化された圧縮固定具を作用させることを含む方法。
【請求項５】
請求項１に記載の方法であって、前記圧縮フィードバックアルゴリズム（１２）を使う前記複数のＲＦフレームデータ（２４）の前記少なくとも１つの分析が、
前記複数のＲＦフレームデータ（２４）の第１のＲＦフレームデータを前記複数のＲＦフレームデータ（２４）の参照ＲＦフレームとして選択し、
ブロック一致アルゴリズムを使い、前記参照ＲＦフレームに続く前記複数のＲＦフレームデータと、前記参照ＲＦフレームと、を比較し、
前記比較ステップを軸方向の変位及び横方向の変位において実行し、
横方向の変位及び軸方向の変位における前記複数のＲＦフレームデータ（２４）の各々の組織圧縮品質の量的な示度を決定し、
前記横方向の変位及び前記軸方向の変位における前記複数のＲＦフレームデータ（２４）の前記量的な示度を平均化し、前記複数のＲＦフレームデータ（２４）の、蓄積された横方向の変位及び蓄積された軸方向の変位を生成する、ことを含む方法。
【請求項６】
請求項１に記載の方法であって、前記比較の視覚的な表示が、
前記複数のＲＦフレームデータ（２４）の蓄積された横方向の変位と横方向の変位における閾値との比較を表示し、
前記複数のＲＦフレームデータ（２４）の蓄積された軸方向の変位と軸方向の変位における閾値との比較を表示することを含む方法。
【請求項７】
請求項１に記載の方法であって、前記許容できる圧縮値の決定が、
前記複数のＲＦフレームデータ（２４）の蓄積された横方向の変位の絶対値が前記横方向の変位における閾値より小さく、前記複数のＲＦフレームデータ（２４）の蓄積された軸方向の変位が軸方向の変位における上限閾値境界より小さく、下限閾値境界より大きい場合に、許容できる圧縮を達成することを含む方法。
【請求項８】
請求項１に記載の方法であって、前記許容できる圧縮値の決定が、
前記複数のＲＦフレームデータ（２４）の蓄積された横方向の変位の絶対値が前記横方向の変位における閾値より小さく、前記複数のＲＦフレームデータ（２４）の蓄積された軸方向の変位が軸方向の変位における下限閾値境界より小さく、前記蓄積された軸方向の変位が正の値である場合に、許容できる圧縮を達成することを含む方法。
【請求項９】
請求項１に記載の方法であって、前記許容できる圧縮値の決定が、
前記複数のＲＦフレームデータ（２４）の蓄積された横方向の変位の絶対値が前記横方向の変位における閾値より小さく、前記複数のＲＦフレームデータ（２４）の蓄積された軸方向の変位が、軸方向の変位における下限閾値境界より大きく、上限閾値境界より小さく、前記蓄積された軸方向の変位が負の値である場合に、許容できる圧縮を達成することを含む方法。
【請求項１０】
請求項１に記載の方法であって、前記許容できる圧縮値の決定が、
前記複数のＲＦフレームデータ（２４）の蓄積された横方向の変位の絶対値が前記横方向の変位における閾値より小さく、前記複数のＲＦフレームデータ（２４）の蓄積された軸方向の変位が、軸方向の変位における上限閾値境界より大きく、前記蓄積された軸方向の変位が負の値である場合に、許容できる圧縮を達成することを含む方法。
【請求項１１】
請求項１に記載の方法であって、更に、
前記弾性画像及び前記複数のＲＦフレームデータ（２４）の前記少なくとも１つのデータの、１つ又はそれ以上の統計的、量的、及び質的な図を表示することを含む方法。
【請求項１２】
請求項１に記載の方法であって、更に、
前記弾性画像及び前記複数のＲＦフレームデータ（２４）の前記少なくとも１つのデータの、１つ又はそれ以上の統計的、量的、又は質的な図を表示することを含む方法。
【請求項１３】
請求項１に記載の方法であって、更に、
前記弾性画像又は前記複数のＲＦフレームデータ（２４）の前記少なくとも１つのデータの、１つ又はそれ以上の統計的、量的、及び質的な図を表示することを含む方法。
【請求項１４】
請求項１に記載の方法であって、更に、
前記弾性画像又は前記複数のＲＦフレームデータ（２４）の前記少なくとも１つのデータの、１つ又はそれ以上の統計的、量的、又は質的な図を表示することを含む方法。
【請求項１５】
請求項１に記載の方法であって、更に、
前記複数のＲＦフレームデータ（２４）の前記少なくとも１つ及び前記弾性画像をアーカイブすることを含む方法。
【請求項１６】
請求項１に記載の方法であって、更に、
前記ステップの各々の音声記録を生成し、前記音声記録を保存することを含む方法。
【請求項１７】
請求項１に記載の方法であって、更に、
前記生物学的組織を周期的に伸張することを含む方法。
【請求項１８】
請求項１に記載の方法であって、更に、
許容できる圧縮を達成することに基づき、前記弾性画像を表示する前に、前記生物学的組織の弾性画像を生成する追加のステップを含む方法。
【請求項１９】
超音波システム（１４）を使い弾性イメージングを実行する方法であって、
超音波画像に対し、関心領域（２０）を設定し、
生物学的な組織を周期的に圧縮し、
イメージングに関連したフレームレートで複数のＲＦフレームデータ（２４）の少なくとも１つを取得し、
圧縮フィードバックアルゴリズムを使い、前記複数のＲＦフレームデータ（２４）の前記少なくとも１つを分析し、
蓄積された軸方向の変位における前記複数のＲＦフレームデータ（２４）の前記少なくとも１つの量的な示度と、前記蓄積された軸方向の変位における閾値と、の比較を表示し、
蓄積された横方向の変位における前記複数のＲＦフレームデータ（２４）の前記少なくとも１つの量的な示度と、前記蓄積された横方向の変位における閾値と、の比較を表示し、
前記比較に基づき、許容できる圧縮閾値を決定し、
前記比較が十分であることを決定し、
前記比較に基づき、前記生物学的組織の弾性画像を生成し、
前記イメージングに関連したフレームレートで前記生物学的組織の前記弾性画像を表示することを含む方法。
【請求項２０】
超音波弾性イメージングシステムであって、
圧縮固定具（２２）と連絡する超音波システム（１４）と、
ｂモード及び歪み画像表示部（１６）と連絡する弾性イメージングモジュール（１８）と、
イメージングに関連したフレームレートで生物学的な組織の弾性画像を生成することができる圧縮フィードバックアルゴリズム（１２）であって、前記超音波システム（１４）と一体化され、前記超音波システム（１４）及び前記弾性イメージングモジュール（１８）及び前記ｂモード及び歪み画像表示部（１６）と連絡する圧縮フィードバックアルゴリズム（１２）と、
を含む超音波弾性イメージングシステム。
【請求項２１】
請求項２０に記載の超音波弾性イメージングシステムであって、
前記圧縮固定具（２２）が、フリーハンドの圧縮固定具である超音波弾性イメージングシステム。
【請求項２２】
請求項２０に記載の超音波弾性イメージングシステムであって、
前記圧縮固定具（２２）が、モータ化された圧縮固定具である超音波弾性イメージングシステム。
【請求項２３】
請求項２０に記載の超音波弾性イメージングシステムであって、
前記超音波システム（１４）が、送受ハードウェア（２６）、ビームフォーマモジュール（２８）、及びスキャンコンバータモジュール（３０）を有する超音波弾性イメージングシステム。
【請求項２４】
請求項２０に記載の超音波弾性イメージングシステムであって、
前記弾性イメージングモジュール（１８）が、変位推定アルゴリズム（３６）、歪み計算モジュール（３８）、及びスキャンコンバータ（４０）を有する超音波弾性イメージングシステム。
【請求項２５】
請求項２０に記載の超音波弾性イメージングシステムであって、更に
前記弾性及び前記複数のＲＦフレームデータの前記少なくとも１つのデータの、１つ又はそれ以上の統計的、量的、及び質的な図を表示できる表示部（１６）を有する超音波弾性イメージングシステム。
【請求項２６】
超音波画像に対して弾性イメージングを実行する装置であって、
超音波画像に対し、関心領域を設定し、
周期的に圧縮される生物学的な組織から、イメージングに関連したフレームレートで複数のＲＦフレームデータの少なくとも１つを取得し、
圧縮フィードバックアルゴリズムを使い、前記複数のＲＦフレームデータの少なくとも１つを分析し、
少なくとも１つの変位における前記複数のＲＦフレームデータの少なくとも１つの量的な示度と、前記少なくとも１つの変位における閾値と、を比較し、
前記比較に基づき、許容できる圧縮値を決定し、
前記圧縮が十分であることを決定し、
前記イメージングに関連したフレームレートで前記生物学的な組織の弾性画像を表示する、
ことを特徴とする装置。
【請求項２７】
超音波画像に対し、関心領域を設定する機能と、
周期的に圧縮される生物学的な組織から、イメージングに関連したフレームレートで複数のＲＦフレームデータの少なくとも１つを取得する機能と、
圧縮フィードバックアルゴリズムを使い、前記複数のＲＦフレームデータの少なくとも１つを分析する機能と、
少なくとも１つの変位における前記複数のＲＦフレームデータの少なくとも１つの量的な示度と、前記少なくとも１つの変位における閾値と、を比較する機能と、
前記比較に基づき、許容できる圧縮値を決定する機能と、
前記圧縮が十分であることを決定する機能と、
前記イメージングに関連したフレームレートで前記生物学的な組織の弾性画像を表示する機能と、
をコンピュータに実現させるためのプログラム。